(57)【特許請求の範囲】
【請求項１】
下記を備えたことを特徴とするrfリーダーユニット：
rfアンテナを有し、前記rfアンテナが受信したrf信号を処理するリード／ライト電子回路を備えるrfリーダー、
前記rfリーダーのリード／ライト電子回路を収容し、マウント上に、前記マウントに関して移動しないように載置するように適合された本体部分、および
前記本体部分に前記rfリーダーユニットが一体化された構造となるように載置され、前記rfアンテナを収容するヘッド部分であって、前記本体部分を前記マウントに関して移動することなく、前記rfアンテナを複数の異なる方向に指向するように適合され、さらに前記rfアンテナを所望の方向にフォーカスされたままになるように選定された位置に固定するように適合された、回転可能に調整し得るヘッド部分。
【請求項２】
前記リード／ライト電子回路は、前記rfリーダーユニットの操作コンフィグレーションパラメータの選定を可能になる接続コントローラおよび前記接続コントローラに電気的に接続された同期切替電源を少なくとも備え、前記同期切替電源は前記リード／ライト電子回路の内部電圧として機能する、調整された出力電圧を生成することを特徴とする請求項１記載のrfリーダーユニット。
【請求項３】
前記同期切替電源の切替遷移の周波数が前記rfアンテナの送信周波数と同期していることを特徴とする請求項２記載のrfリーダーユニット。
【請求項４】
前記rfアンテナはフェライトで被覆したワイヤを含んで成ることを特徴とする請求項１記載のrfリーダーユニット。
【請求項５】
前記rfアンテナは前記ヘッド部分内にはめ込まれていることを特徴とする請求項４記載のrfリーダーユニット。
【請求項６】
前記rfリーダーユニットは液体に対して不透過性であることを特徴とする請求項１記載のrfリーダーユニット。
【請求項７】
前記ヘッド部分と前記本体部分の間に、前記ヘッド部分と前記本体部分の間の接続が液体に対して不透過性であるように、さらにＯ−リングを備えたことを特徴とする請求項１記載のrfリーダーユニット。
【請求項８】
前記リード／ライト電子回路に接続するための接続ケーブルを前記本体部分内に受容するための開口をさらに備えたことを特徴とする請求項１記載のrfリーダーユニット。
【請求項９】
前記本体部分と前記接続ケーブルとの間の接続が液体に対して不透過性であるように、前記接続ケーブルを受容するための開口を包囲するパッキン押さえナットをさらに備えたことを特徴とする請求項８記載のrfリーダーユニット。
【請求項１０】
前記本体部分は前記接続ケーブルを前記リード／ライト電子回路に電気的に接続するためのねじ端子をさらに含むことを特徴とする請求項９記載のrfリーダーユニット。
【請求項１１】
前記接続コントローラは前記rfリーダーユニットの操作コンフィギュレーションパラメータの選定を可能にするための内蔵メニューをさらに備えたことを特徴とする請求項２記載のrfリーダーユニット。
【請求項１２】
複数の前記rfリーダーユニットが単一の制御システムを用いて制御できるように分岐バスに接続されるように適合されていることを特徴とする請求項１記載のrfリーダーユニット。
【請求項１３】
前記接続コントローラは、前記rfリーダーユニットのコンフィギュレーションパラメータを記憶するための不揮発性メモリをさらに備えたことを特徴とする請求項２記載のrfリーダーユニット。
【請求項１４】
下記を備えたことを特徴とする一体化されたパッケージ構造を有するrfリーダーユニット：
rfアンテナと、前記rfアンテナが受信したrf信号を処理するとともに、前記rfリーダーユニットの操作コンフィグレーションパラメータの選定を可能にする接続コントローラを有するリード／ライト電子回路とを備えるrfリーダー、
前記rfリーダーのリード／ライト電子回路を収容し、さらに前記リード／ライト電子回路に接続する接続ケーブルを受容するための開口を備え、前記接続ケーブルを前記リード／ライト電子回路に電気的に接続するためのねじ端子を収容し、マウント上に載置されるように適合された本体部分、
前記本体部分と前記接続ケーブルの間の接続が液体に対して不透過性となるように前記接続ケーブルを受容するための前記開口を包囲するパッキン押さえナット、
前記本体部分に載置され、前記rfアンテナを収容するヘッド部分であって、前記本体部分を前記マウントに関して移動することなく前記rfアンテナを複数の異なる方向に向けられるように適合され、さらに前記rfアンテナを所望の方向にフォーカスされたままになるように選定された位置に固定するように適合された、回転可能に調整し得るヘッド部分、
前記ヘッド部分と前記本体部分の間に、前記ヘッド部分と前記本体部分の間の接続が液体に対して不透過性となるように、配置されたＯ−リング、および
前記本体部分内に電気的に配置され、かつ前記接続コントローラに接続され、前記リード／ライト電子回路の内部電圧として機能する、調整された出力電圧を生成する同期切替電源。
【請求項１５】
前記同期切替電源の切替遷移の周波が前記rfアンテナの送信周波数と同期していることを特徴とする請求項１４記載のrfリーダーユニット。
【請求項１６】
前記rfアンテナはフェライトで被覆したワイヤを含んで成ることを特徴とする請求項１４記載のrfリーダーユニット。
【請求項１７】
前記rfアンテナは前記ヘッド部分内にはめ込まれていることを特徴とする請求項１６記載のrfリーダーユニット。
【請求項１８】
前記接続コントローラは前記rfリーダーユニットの操作コンフィグレーションパラメータの選定を可能にするための内蔵メニューをさらに備えたことを特徴とする請求項１４記載のrfリーダーユニット。
【請求項１９】
前記rfリーダーは、複数の前記rfリーダーユニットが単一の制御システムを用いて制御できるように分岐バスに接続されるように適合されていることを特徴とする請求項１６記載のrfリーダーユニット。
【請求項２０】
前記接続コントローラは、前記rfリーダーユニットのコンフィギュレーションパラメータを記憶するための不揮発性メモリをさらに備えたことを特徴とする請求項１６記載のrfリーダーユニット。
【発明の詳細な説明】
技術分野
本発明は一般に同定リーダーに関し、さらに詳しくはrfリーダーに関するものである。
背景技術
rfリーダー（読み取り機）は、普通、製造される品物を同定し追跡するために工場で用いられている。典型的には、rfタグはモニタすべき品物に置かれる。rfタグは品物に関するかつこれを同定する関連データを含んでいる。rfタグがrfリーダーの近傍を通過するときに、指向性アンテナがrfタグに向けて１３４ＫＨｚの範囲のrf信号を発信する。発信されたrf信号はrfタグ内にＡＣ電流を誘導する。このＡＣ電流はrfタグを「パワーアップ」するのに用いられ、それによりrfタグからrfリーダーに応答信号を返すことを可能にする。応答信号は典型的には上述のタグされた品物に関連するかつこれを同定する関連データを含む。
普通、rfリーダーは製造設備内に造り付けられた標準的な据え付け台上に置かれる。これらの標準的な据え付け台は製造設備中のモニタ装置が必要とされる場所にはどこにでも配置されている。しばしば、備え付け台にとってはrfリーダーがごく狭い場所に置かれることが必要になる。このため、従来のrfリーダーは２つの別個の部分、すなわち一方向アンテナ部分およびリード／ライト電子回路部分に分割されている。rfリーダーのこれら２つの別個の部分は、例えばケーブルその他の延長された電気的コネクタにより、相互に接続される。そのようなケーブルその他の延長された電気的コネクタは製造環境を混雑させ、電力損失や電気的ノイズの原因となる。ケーブルその他の延長された電気的コネクタの発生するノイズに加えて、rfリーダーの電源によってもノイズが発生する。ノイズが発生するとタグを付された品物が送信する応答信号を明瞭に受信することが困難になる。
ケーブルその他の延長された電気的コネクタに関する問題に加えて、多くの場合、標準的な据え付け台の配置により、多数の一方向アンテナを、モニタすべき品物の経路の近傍に配置する必要がある。すなわち、アンテナ部分が標準的な据え付け台に取り付けられているので、一方向アンテナは、常にタグを付された品物の経路に向かって直接フォーカスすることができるとは限らない。このため、品物上のrfタグにアンテナから発信されたrf信号が入る（incident）ことを保証するために、タグを付された品物の経路の近傍の多数の標準的な据え付け台のそれぞれの上に数本のアンテナが位置される。その結果、そのようなrfモニタシステムのコストが増加し、そのようなシステムに必要とされる貴重な製造スペースの量も増加する。
さらに、従来のrfリーダーユニットの多くは、rfリーダーユニットの操作パラメータをプログラムし設定するための多数のスイッチおよびボタンを含む。これらのボタンとスイッチがrfリーダーの据え付け位置の可能性を制限している。さらに、これらのボタンとスイッチはrfリーダーユニットのサイズを増大させ、リード／ライト電子回路のサイズを減少できる程度を制限している。
従って、狭い場所に置くことができ、標準的な据え付け台上に配置することができ、電力損失またはアンテナ部分とリード／ライト電子回路部分との間のケーブルその他のタイプの延長された電気的コネクタによる電気的ノイズを生じることがなく、タグを付された品物からの応答信号に干渉するノイズを発生することがなく、多数のrfリーダーユニットを追加することを必要とせずにタグを付された品物の経路に向かってフォーカスさせることができ、かつ、rfリーダーユニット用の操作パラメータをプログラムし設定するのに多数のボタンおよびスイッチを必要としないrfリーダーユニットに対する需要が生じている。
発明の開示
従って、本発明の目的は、狭い場所に置くことができ、標準的な据え付け台上に配置することができ、電力損失またはアンテナ部分とリード／ライト電子回路部分との間のケーブルその他のタイプの延長された電気的コネクタによる電気的ノイズを生じることがなく、タグを付された品物からの応答信号に干渉するノイズを発生することがなく、多数のrfリーダーユニットを追加することを必要とせずにタグを付された品物の経路に向かってフォーカスさせることができ、かつ、rfリーダーユニット用の操作パラメータをプログラムし設定するのに多数のボタンおよびスイッチを必要としないrfリーダーユニットを提供することである。上述の目的は、回転可能に調節し得るアンテナを本体部分に載置し、一体化されたユニットを形成するコンパクトなrfリーダーユニットにより達成される。本発明はさらに、rfリーダーユニットの操作パラメータをプログラムし設定するための内蔵システム電子回路を備え、それにより多数の外部ボタンおよびスイッチを省略している。
本発明の一つの実施の形態では、リード／ライト電子回路を含む本体部分と、アンテナを含むヘッド部分とが一体化されてコンパクトな構造となっている。このアンテナを含むヘッド部分はＯ−リングで本体部分に回転可能に取り付けられ、ヘッド部分と本体部分との間に液密（以下、「液体に対して不透過性」であることを意味する）シールを提供している。rfリーダーユニット全体も液密であり、それにより本発明は例えば製造設備のような過酷な環境において使用するのによく適している。さらに、本発明は製造設備内に造り付けられた標準的な据え付け台と噛み合う据え付け穴をもつように構成されている。
本発明は、また、接続ケーブルをrfリーダー内で受容するための開口を備える。この開口はrfリーダーと接続ケーブルとの間の接続が液密であるようにパッキン押さえナット（gland nut）で囲まれている。さらに、本発明は、アンテナの送信周波数とその切替遷移の周波数とが同期する同期切替電源を備えて、タグを付された品物から送信された応答信号に干渉するようなノイズを除去している。本実施形態では、rfリーダーは複数のrfリーダーユニットが単一の制御システムを用いて制御できるように分岐バス（multi-drop）に接続するように適合されている本発明はrfリーダーユニットのコンフィグレーションパラメータを記憶するための不揮発性メモリを備える。
【図面の簡単な説明】
本明細書に導入されその一部を構成する添付図面は本発明の実施例を説明するものであり、詳細な説明とともに本発明の原理を説明するためのものである。
図１は本発明に従う本体部分に載置された回転可能に調整し得るヘッド部分を有するrfリーダーの斜視図である。
図２は図１のrfリーダーの斜視図であり、本発明に従って回転可能に調整し得るヘッド部分が本体部分から引き出されてその中に収容されている液密Ｏ−リングアッセンブリが露出した状態を示す。
図３は図１のrfリーダーの斜視図であり、本発明に従って本体部分の上方半割体と下方半割体が分離されてこれら２つの半割体の間に配置されたガスケットが露出している。
図４は図１のrfリーダーの上面図であり、本発明に従って上方半割体と回転可能に調整し得るヘッド部分が取り外されて本体部分の下方半割体に配置された内部ねじ端子が露出している。
図５は本発明に従うアンテナ回路およびリード／ライト電子回路の概略図である。
図６は図５の同期切替電源のより詳細な概略図であり、本発明に従う同期切替電源の種々の部品を示す。
図７は本発明に従う、ワイヤバスに個々の接続ケーブルを介して取り付けられた多重rfリーダーの概略図である。
発明を実施するための最良の実施の形態
本発明の好適な実施例を詳細に参照するが、その例は添付の図面に図示されている。本発明は好適な実施例に関して説明されるが、本発明はそれらの実施例に限定されるものではないことが了解されるであろう。反対に、本発明は代替例、変形例および均等物を網羅することが意図されており、これらは付随する請求項により定義されるとおり本発明の範囲内に包含される。
図１を参照すると、本発明のrfリーダーユニットの斜視図が示されている。図１に示すように、rfリーダー１０は、上方半割体１４および下方半割体１６から形成された本体部分１２とヘッド部分１８を有する。本体部分１２はリード／ライト電子回路を含み、ヘッド部分１８はアンテナを含む。rfリーダー１０は、また、接続ケーブル（図示しない）と、この接続ケーブルを受容するための本体部分１２の開口（図示しない）との間の液密シールを提供するためのパッキン押さえナット２８を含む。
本実施例では、ヘッド部分１８はねじ２０，２２，２４および２６を用いて本体部分１２に取り付けられている。ねじ２０，２２，２４および２６が本実施例で用いられているが、本発明は多数の他のタイプの取付装置および方法の使用にもよく適している。ヘッド部分１８は、本実施例では本体部分１２に回転可能に載置されている。すなわち、ねじ２０，２２，２４および２６が緩められると、ヘッド部分１８は９０°の増分で回転してアンテナを所望の方向にフォーカスさせることができる。回転可能に調整し得るヘッド部分１８が所望の位置についた後にねじ２０，２２，２４および２６を締めて回転可能に調整し得るヘッド部分１８をその所望の固定位置にしっかりと保持、すなわち固定する。アンテナを外方に向けることに加えて、本発明は、また、回転可能に調整し得るヘッド部分１８の頂部を介して信号を送受信するのによく適している。そのようにすると、本発明では、アンテナがカバーし得る本体部分１２の領域がさらに増加する従って、本発明のアンテナはrfリーダーが載置されている位置に関係なくほとんど任意の方向に向けることができる。
ねじ３０および３２はrfリーダー１０の上方半割体１８と下方半割体２０をつなぎ合わせるのに用いられる。ねじ３０および３２を緩めることにより上方半割体１８は下方半割体２０から容易に取り外すことができ、それにより本体部分１２の内部に容易にアクセスができる。本実施例では、rfリーダー１０は完全に液密である。すなわち、上方および下方半割体１４および１６の間には液密シールがある。同様に、回転可能に調整し得るヘッド部分１８は本体部分１２に液密にシールされている。このため、本発明のrfリーダー１０は油、水、切削液等のような液体に不透過性である。従って、本発明は例えば製造設備のような過酷な環境において使用するのによく適している。rfリーダー１０は指示灯３７も備えている。
本実施例では、指示灯３７はrfリーダーユニットの動作状態および現在のコンフィギュレーションパラメータを示すのに用いられる。さらに、rfリーダー１０は、標準的な据え付け台にrfリーダー１０を取り付けるための取付穴３４および３６を備えている。その結果、本発明は標準的な据え付け台を内蔵する従来の製造設備において使用するのによく適している。
次に図２を参照すると、rfリーダー１０の斜視図が示され、回転可能に調整し得るヘッド部分１８は本体部分１２から引き出されてＯ−リング４０を露出している。回転可能に調整し得るヘッド部分１８内のアンテナは円形アクセス穴３８を介して本体部分１２に接続されている。アクセス穴３８の周りに配置されたＯ−リング４０は、回転可能に調整し得るヘッド部分１８を本体部分１２に取り付けることにより圧縮されると、液体が穴３８に入るのを防止する材料から形成される。短い内部電気コネクタ４２がアクセス穴３８内に配置されて回転可能に調整し得るヘッド部分１８内のアンテナ回路を本体部分１２内のリード／ライト電子回路に電気的に接続する。Ｏ−リングアッセンブリ４０を用いることにより、回転可能に調整し得るヘッド部分１８の本体部分１２に対する配向に関係なく、液密シールが維持される。
図３を参照すると、rfリーダー１０の斜視図が示され、上方および下方半割体１４および１６は分離されてガスケット４４が露出している。図２のＯ−リングアッセンブリ４０を用いたのと同様に、ガスケット４４は上方半割体１４を下方半割体１６に取り付けることにより圧縮されると液体が２つの半割体１４および１６の間を通過してrfリーダー１０の内部に入り込むのを防止する材料から形成される。従って、図２のパッキン押さえナット２８，ガスケット４４およびＯ−リングアッセンブリ４０のおかげで、rfリーダー１０は完全に液密である。
次に図４を参照すると、rfリーダー１０の上面図が示され、上方半割体１４および回転可能に調整し得るヘッド部分１８は取り外されて内部ねじ端子４６ａ−４６ｅが露出している。図４に示すように、接続ケーブル４８は液密パッキン押さえナット２８を介してrfリーダーの本体部分１２の内部に経路が定められている。接続ケーブル４８内の個々のワイヤはねじ端子４６ａ−４６ｅのそれぞれに取り付けられているねじ端子４６ａ−４６ｄはrfリーダー１０のリード／ライト電子回路に電気的に接続されている。ねじ端子を用いることにより、本発明は半田付けしたり他の複雑な取付方法を用いたりして電気的接続を接続ケーブル４８とリード／ライト電子回路の間に形成する必要がない。このため、本発明は「ユーザーフレンドリー」であり、オンサイト据え付けおよび修理が簡単にできる。
図５を参照すると、アンテナ回路５２およびリード／ライト電子回路６０の概略図５０が示される。本実施例では、アンテナ回路５２はアンテナコイル５４，アンテナドライバ５６およびアンテナレシーバ５８を備えて成る。このため、rfリーダーはrfアンテナ５４を介してrfタグと通信する。rfタグに送信するときは、アンテナドライバ５６が使用される。本実施例では、rfアンテナ５４はフェライトで被覆したワイヤから形成され、図１の回転可能に調整し得るヘッド部分１８内に移動しないように「はめ込まれ」（potted）または載置されている。
図５に示すように、rfリーダーの本体部分にあるリード／ライト回路６０は同期切替電源６２、送信モジュレータ６４、受信デモジュレータ６６、接続コントローラ６８，入力バッファ７０，および出力バッファ７２を備えて成る。デモジュレータ６６はアンテナレシーバ５８と接続されている。このため、本実施例では、入力バッファ７０に入るデータに応答して接続コントローラ６８がモジュレータを活性化して呼び掛け信号を生成する。この呼び掛け信号はアンテナドライバ５６を介してアンテナコイル５４に送られる。呼び掛け信号は次にrfタグに送信される。応答信号が受信されると、それらはアンテナレシーバ５８を介してデモジュレータ６６に、接続コントローラ６８に、そして出力バッファ７２を介して外に送られる。
本発明では、アンテナ回路５２とリード／ライト電子回路６０は一体化されてコンパクトな構造になっているので、アンテナ回路５２とリード／ライト電子回路６０の間に延長された電気接続は不要である。その結果、本発明は従来のツーピースrfリーダーユニットで見られるような、アンテナ回転５２とリード／ライト電子回路６０の間の信号の伝達中に顕著な電力損失または電気的ノイズが生じない。
次に図６を参照すると、同期切替電源６２のより詳細な概略図が示される。図６に示すように、同期切替電源６２は逆極性および過電圧保護回路７４を備え、リード／ライト電子回路を電圧入力の不正配線に対して保護し、リード／ライト電子回路６０を高電圧遷移から保護する。入力電圧は逆極性および過電圧保護回路７４からＥＭＩフィルタ７６を通過する。ＥＭＩフィルタ７６は内部発生電圧スパイクが電圧入力（Voltage In）信号線の外に導通されて戻らないようにしている。同期切替電源６２は、例えばSGS−トムソンＬ4972Ａ切替レギュレータのような切替電源回路７８を備える。この切替電源回路７８は、ドライブトランジスタ８０、パルス幅モジュレータ８２，および電圧センサ８４を含み、調整された出力電圧を生成する。この出力電圧は、フィルタ８６により濾波されリード／ライト電子回路６０の内部電圧として機能する。詳しくは、切替電源回路７８の電圧センサ８４が出力電圧、すなわち「内部電圧」をサンプリングして内部電圧が所望の値よりも高いか低いかを決定する。電圧センサ８４はパルス幅モジュレータ８２を制御し、ついでこのパルス幅モジュレータ８２が切替パルスの衝撃係数（duty cycle）を変更する。切替パルスがp-n-pトランジスタ８０を開閉し、これによりフィルタ８６に伝達されるエネルギーの量を計測する。
本実施例では、アンテナドライバ５６は呼び掛け信号を発生し、この呼び掛け信号がrfアンテナ５４から約１３４ＫＨｚの周波数で送信される。rfタグからの応答進行は約３３．５ＫＨｚの周波数で受信される。このように、従来のrfリーダーの電源の発生するランダムな電圧スパイクすなわちノイズは応答信号を不明瞭にしまたはマスクすることがあり得る。しかしながら、本実施例では、同期信号（sync signal）が図５のモジュレータ６４により切替電源回路７８に供給される。この同期信号のおかげで任意の切替遷移が呼び掛け周波数と一致して起きる。切替遷移はランダムに変化する周波数とは異なり正確な周波数で起きるので、遷移は固定された部品と固定された周波数を持つフィルタにより濾波される。さらに、この切替遷移の周波数は図１のrfアンテナ５４の送信周波数と同期しているので、相互変調生成物（intermodulation products）はない。従って、本発明は、従来のrfリーダーユニットで見られるランダム相互変調副生成物およびノイズを除去または実質的に低減する。
図７を参照すると、複数のrfリーダー８８，９０および９２がそれぞれの接続ケーブル９４，９６および９８を介してワイヤバス１００に取り付けられた概略図が示されている。ワイヤバス１００を用いると複数のrfリーダー８８，９０および９２の各々を中央コントローラに別々に配線する必要がなくなる。複数のrfリーダーをそれぞれ接続する代わりにワイヤバス１００は中央コントローラから複数のrfリーダーユニットへの単一の接続を提供し、それにより配線、コネクタ、スペースおよび据え付け労力が節約される。従って、本発明は多数のrfリーダーを種々の場所に配置することがある製造設備において使用するのによく適している。多数のワイヤ接続をする代わりに、単一のバスラインにすると、多数のrfリーダーを製造設備内の任意の場所に配置するのが容易になる。同様に、別々の中央コントローラを各rfリーダーまたは複数のrfリーダーの選ばれたグループに対して備える代わりに、本発明は離して配置された多数のrfリーダーを単一の中央コントローラを用いて制御することを可能にする。
本発明のリード／ライト電子回路は、また、rfリーダーのコンフィグレーションパラメータを記憶するための内蔵メニューと不揮発性メモリとを備える。例えば図５の接続コントローラ６８内にプログラムされた内蔵メニューを持っていることにより、本発明によれば、中央コントローラステーションにいるユーザがrfリーダーユニットの所望の操作コンフィグレーションパラメータを選定し実行することが可能になる。従って、本発明のrfリーダーは従来のrfリーダーで見られる多数のプログラム用ボタンおよびスイッチ必要としない。その結果、本発明のrfリーダーユニットのサイズは従来のrfリーダーでは不可能な程度まで低減できる。さらに、不揮発性メモリを含んでいることにより、rfリーダーユニットのコンフィグレーションパラメータは電源が切れたときでもリード／ライト電子回路内に記憶されたままである。
従って、本発明はアンテナを収容するヘッド部分およびリード／ライト電子回路を収容する本体部分が一体化されてコンパクトな構造になっているrfリーダーユニットを提供する。本発明のrfリーダーユニットはコンパクトなサイズであるため、従来のrfリーダーユニットには小さすぎる狭い場所にも配置することができる。本発明は、また、標準的な据え付け台上に取り付けられるように適合されている。しかしながら、本発明のrfリーダーユニットの回転可能に調整し得るヘッド部分により、収容されているアンテナはrfリーダーが載置されている位置に関係なくほとんど任意の方向にフォーカスさせることが可能になる。その結果、本発明では所望のアンテナカバリッジを得るのに多数の追加のrfリーダーユニットを必要とすることがない。さらに、アンテナを収容するヘッド部分とリード／ライト電子回路を収容する本体部分とを一体化してコンパクトな構造としたことにより、本発明はアンテナ部分とリード／ライト電子回路部分との間にケーブルその他のタイプの延長された電気的接続を必要としない。従って、本発明はアンテナ部分とリード／ライト電子回路部分の間の延長された電気的接続による電力損失または電気的ノイズの影響を被らない。同期切替電源を用いることにより、本発明はタグを付された品物からの応答信号に干渉するノイズを発生しない。また、内蔵メニューと不揮発性メモリを有することにより、本発明はrfリーダーユニット用の操作パラメータをプログラムし、設定し、記憶するための多数のボタンおよびスイッチを必要としない。
本発明の上述の具体例の記載は説明のために提示されたものである。それらは網羅的であることあるいは本発明を開示された精密な形態に限定することを意図したものではなく、明らかに上述の教示に照らして多くの変更および変形が可能である。実施例は本発明の原理とその応用をもっともよく説明し、当業者が本発明および種々の実施例を意図する特定の用途に適した種々の変更を加えて実施することができるようにするために選ばれ記載されている。本発明の範囲はこれに付随する請求項およびそれらの均等物により定義されるものである。
【図１】
0003728699.tif 000002
【図３】
0003728699.tif 000003
【図２】
0003728699.tif 000004
【図４】
0003728699.tif 000005
【図６】
0003728699.tif 000006
【図５】
0003728699.tif 000007
【図７】
0003728699.tif 000008